(57)【要約】【課題】回転力を直接受ける側のベーンの軸が折れても、ベーンが落下しない空気調和機を提供することを目的としている。【解決手段】筐体２と、筐体２の表面に設けられ、第一軸受部１０ａ及び第二軸受部１０ｂを有し、吹出口３ｂ及び吸込口が形成された化粧パネル３と、化粧パネル３の吹出口３ｂに設けられ、一方の側面に第一軸受部１０ａに差し込まれる第一ベーン軸４ａを有し、もう一方の側面に第二軸受部１０ｂに差し込まれる第二ベーン軸４ｂを有するベーン４と、第一ベーン軸４ａに回転力を与えてベーン４を回転動作させるベーン駆動モータ部９と、第二軸受部１０ｂに第二ベーン軸４ｂを差し込んだ状態で第二ベーン軸４ｂの先端に取り付けられ、第二軸受部１０ｂの軸方向の動きを抑制するストッパー部品１１と、を備えたものである。【選択図】図３
2014055708.tif 000002
【特許請求の範囲】
【請求項１】
筐体と、
前記筐体の表面に設けられ、第一軸受部及び第二軸受部を有し、吹出口及び吸込口が形成された化粧パネルと、
前記化粧パネルの前記吹出口に設けられ、一方の側面に前記第一軸受部に差し込まれる第一軸を有し、もう一方の側面に前記第二軸受部に差し込まれる第二軸を有するベーンと、
前記第一軸に回転力を与えて前記ベーンを回転動作させる駆動モータと、
前記第二軸受部に前記第二軸を差し込んだ状態で前記第二軸の先端に取り付けられ、前記第二軸の軸方向の動きを抑制するストッパー部品と、を備えた空気調和機。
【請求項２】
前記ストッパー部品は、直径が前記第二軸受部の穴径よりも大きい筒形状である
ことを特徴とする請求項１に記載の空気調和機。
【請求項３】
前記第二軸は先端に凹溝を有しており、前記ストッパー部品は取付爪を有しており、前記凹溝と前記取付爪とが嵌合されることにより取り付けられる
ことを特徴とする請求項１又は２に記載の空気調和機。
【発明の詳細な説明】
【技術分野】
【０００１】
本発明は、空気調和機に関するものであり、特にその吹出口に配置されたベーンの取付構造に関する。
【背景技術】
【０００２】
従来の天井カセット形の空気調和機は、室内空間に露出した化粧パネルを有しており、この化粧パネルの側面には、ベーンが設けられている。このベーンは、空気調和機から吹出す風を案内する平面部と、その平面部を支持するための軸とからなる。軸は断面が円形状であり、ベーンの両端からそれぞれ外側に向かって延びている。ベーンの両端のうち一方側には駆動モータが配置された軸受部があり、もう一方側には軸受部の穴形状のみがあり、それぞれの軸受にベーンの円形軸を差し込んだ構造となっている。また、ベーンは駆動モータにより回転力を受け、ベーンが化粧パネルと平行になる閉じた状態から、任意の角度へと回転動作させることができる（例えば特許文献１参照）。
【先行技術文献】
【特許文献】
【０００３】
【特許文献１】特開平０９−５３８５４号公報（たとえば、要約及び図１参照）
【発明の概要】
【発明が解決しようとする課題】
【０００４】
上記この種の空気調和機において、油煙環境の厳しいところでは、駆動モータから回転力を直接受ける側のベーンの軸は、もう一方側の軸よりも先にクレージングによる破壊で軸折れが生じる可能性がある。その際、もう一方側の軸は軸受部にただ差し込まれているだけのため、ベーンの落下方向への自重を支えることができず、室内空間に落下してしまうという課題があった。
【０００５】
本発明は、以上のような課題を解決するためになされたもので、回転力を直接受ける側のベーンの軸が折れても、ベーンが落下しない空気調和機を提供することを目的としている。
【課題を解決するための手段】
【０００６】
本発明に係る空気調和機は、筐体と、筐体の表面に設けられ、第一軸受部及び第二軸受部を有し、吹出口及び吸込口が形成された化粧パネルと、化粧パネルの吹出口に設けられ、一方の側面に第一軸受部に差し込まれる第一軸を有し、もう一方の側面に第二軸受部に差し込まれる第二軸を有するベーンと、第一軸に回転力を与えてベーンを回転動作させる駆動モータと、第二軸受部に第二軸を差し込んだ状態で第二軸の先端に取り付けられ、第二軸の軸方向の動きを抑制するストッパー部品と、を備えたものである。
【発明の効果】
【０００７】
本発明に係る空気調和機によれば、クレージングにより回転力を直接受ける側のベーンの軸が折れたとき、もう一方側の軸において、軸先端に取付けられたストッパー部品が軸受部に引っ掛かるため、ベーンの落下を防ぐことができる。
【図面の簡単な説明】
【０００８】
【図１】本発明の実施の形態に係る空気調和機の天井への据付前の斜視図である。
【図２】本発明の実施の形態に係る空気調和機のベーン両端の化粧パネルコーナー部を取り外した状態の斜視図である。
【図３】本発明の実施の形態に係る空気調和機のベーンの拡大図である。
【図４】本発明の実施の形態に係る空気調和機の化粧パネルコーナー部の斜視図である。
【図５】本発明の実施の形態に係る空気調和機のベーンにストッパー部品を取り付ける前の斜視図である。
【図６】本発明の実施の形態に係る空気調和機のベーンにストッパー部品を取り付ける前のＺ−Ｚ断面図である。
【図７】本発明の実施の形態に係る空気調和機のベーンにストッパー部品を取り付けた後のＺ−Ｚ断面図である。
【発明を実施するための形態】
【０００９】
以下、本発明の実施の形態を図面に基づいて説明する。
実施の形態．
図１は、本発明の実施の形態に係る空気調和機の天井への据付前の斜視図である。本実施の形態に係る空気調和機は、回転力を直接受ける側のベーンの軸が折れても、ベーンが落下しないようにしたものである。
【００１０】
本実施の形態に係る空気調和機は四方向天井カセット形であり、天井６に据え付けられ、四辺に吹出口３ｂを有し、同じく四辺に設けられたベーン４が吹出口３ｂからの風向きを案内し、天井６から室内四方向に向かって風が吹き出す構造となっている。
【００１１】
空気調和機の筐体２は室内空間１に位置し、図示しない室内送風機と室内の空気を熱交換する室内機熱交換器とを収容している。筐体２の下面には化粧パネル３が設けられている。化粧パネル３はその中央部に吸込口が形成され、この吸込口を吸込グリル３ａが覆っている。また、吸込グリル３ａの四辺を囲うように吹出口３ｂが形成されており、吹出口３ｂには、ベーン４がそれぞれ設けられている。このベーン４が回転動作することにより、筐体２内の室内送風機が発生させた風の向きを変えつつ吹出口３ｂから室内へ吹き出すことができる。
筐体２の外郭のコーナー部にはそれぞれ吊り金具５が設けられており、天井６からはそれぞれまっすぐ吊り金具５に向かって吊りボルト７が吊り下げられている。この四つの吊り金具５を吊りボルト７の任意の位置でそれぞれ締結することにより、空気調和機を天井６に据え付ける。
【００１２】
図２は、本発明の実施の形態に係る空気調和機のベーン両端の化粧パネルコーナー部を取り外した状態の斜視図、図３は、本発明の実施の形態に係る空気調和機のベーンの拡大図である。
化粧パネル３に設けられたベーン４の両端には第一化粧パネルコーナー部８ａ及び第二化粧パネルコーナー部８ｂが設けられており、第一化粧パネルコーナー部８ａにはベーン駆動モータ部９と円形状の穴が開いた第一軸受部１０ａ、第二化粧パネルコーナー部８ｂには円形状の穴が開いた第二軸受部１０ｂが設けられている。
また、ベーン４は両端からそれぞれ外側に向かって延びた断面が円形状の第一ベーン軸４ａと、同じく断面が円形状の第二ベーン軸４ｂとを有し、第一ベーン軸４ａは第一軸受部１０ａに、第二ベーン軸４ｂは第二軸受部１０ｂに差し込まれて勘合されている。第二ベーン軸４ｂの先端には、さらにその状態からストッパー部品１１が取り付けられている。
【００１３】
図４は、本発明の実施の形態に係る空気調和機の化粧パネルコーナー部の斜視図である。
ストッパー部品１１は、直径が第二軸受部１０ｂの穴径よりも大きい円筒形状を有しており、ベーン４の第二ベーン軸４ｂを第二軸受部１０ｂに差し込んだ後、第二ベーン軸４ｂの先端にストッパー部品１１を取り付けることで、第二ベーン軸４ｂが第二軸受部１０ｂから外れない構造となっている。また、ストッパー部品１１は第二ベーン軸４ｂの先端に取り付けているため、吹出口３ｂからの風向きを変えるベーン４の回転動作や、第二ベーン軸４ｂと第二軸受部との嵌合状態を損ねることがない。
【００１４】
図５は、本発明の実施の形態に係る空気調和機のベーンにストッパー部品を取り付ける前の斜視図、図６は、本発明の実施の形態に係る空気調和機のベーンにストッパー部品を取り付ける前のＺ−Ｚ断面図、図７は、本発明の実施の形態に係る空気調和機のベーンにストッパー部品を取り付けた後のＺ−Ｚ断面図である。
第二ベーン軸４ｂの先端には固定部４ｃが設けられており、固定部４ｃは互いに向かい合う位置に凹溝４ｄを二箇所有している。ストッパー部１１は、互いに向かい合う位置に取付爪１１ａを二箇所有している。
第二ベーン軸４ｂの先端にストッパー部１１を取り付ける際、固定部４ｃの凹溝４ｄに取付爪１１ａが二箇所それぞれ勘合されることで、ストッパー部１１が第二ベーン軸４ｂの先端に固定される。そして、ストッパー部品１１の直径は第二軸受部１０ｂの穴径よりも大きいため、第二ベーン軸４ｂがベーン４側の軸方向に動いたとしても第二軸受部１０ｂがストッパー部品１１に引っ掛かり、第二ベーン軸４ｂが第二軸受部１０ｂからはずれないようになっている。つまり、ストッパー部品１１は第二ベーン軸４ｂの軸方向の動きを抑制する働きをしている。
【００１５】
そのため、クレージングにより回転力を直接受ける側の第一ベーン軸４ａが折れた場合、ベーン４の落下方向への自重によりベーン４の重心に向かって第二ベーン軸４ｂが力を受けるが、第二ベーン軸４ｂの先端に取り付けられているストッパー部品１１が第二軸受部１０ｂに引っ掛かるため、ベーン４の落下を防ぐことができる。
なお、ストッパー部品１１の取付爪１１ａは固定部４ｃに取り付けやすいよう、図６のように傾斜を有した形状となっている。
【００１６】
以上より、ベーン４を化粧パネル３に固定する際、第二ベーン軸４ｂを第二軸受部１０ｂに差し込んだ後でその先端にストッパー部品１１を取り付けることで、クレージングにより回転力を直接受ける側の第一ベーン軸４ａが折れた場合でも、ベーン４の落下を防ぐことができる。
また、ストッパー部品１１はベーン４の回転時に、第一ベーン軸４ａと第一軸受部１０ａ、及び第二ベーン軸４ｂと第二軸受部１０ｂとの嵌合に影響しない第二ベーン軸４ｂの先端に取付けられている。そのため、通常のベーン４の回転動作の際は、ベーン軸と軸受部との嵌合、及びベーン軸と軸受部中心の安定性を損ねることがない。
【００１７】
本実施の形態では、四方向天井カセット形の空気調和機を用いたが、他の形でもよい。
また、第一ベーン軸４ａ及び第二ベーン軸４ｂは円形としたが、他の形状の場合も考えられる。その場合、第一軸受部１０ａ、第二軸受部１０ｂ、及びストッパー部品１１も第一ベーン軸４ａ及び第二ベーン軸４ｂに合わせた形状となる。
また、凹溝４ｄ及び取付爪１１ａはそれぞれ二箇所としたが、第一ベーン軸４ａが折れた場合にベーン４の落下を防ぐことができるなら、他の数でもよい。
【符号の説明】
【００１８】
１  室内空間、２  筐体、３  化粧パネル、３ａ  吸込グリル、３ｂ  吹出口、４  ベーン、４ａ  第一ベーン軸、４ｂ  第二ベーン軸、４ｃ  固定部、４ｄ  凹溝、５  吊り金具、６  天井、７  吊りボルト、８ａ  第一化粧パネルコーナー部、８ｂ  第二化粧パネルコーナー部、９  ベーン駆動モータ部、１０ａ  第一軸受部、１０ｂ  第二軸受部、１１  ストッパー部品、１１ａ  取付爪。
【図１】
2014055708.tif 000003
【図２】
2014055708.tif 000004
【図３】
2014055708.tif 000005
【図４】
2014055708.tif 000006
【図５】
2014055708.tif 000007
【図６】
2014055708.tif 000008
【図７】
2014055708.tif 000009